(57)【特許請求の範囲】
【請求項１】
回転自在にクランク軸（６１）を支持するクランクケース（３８）と、
前記クランクケース（３８）の外側で前記クランク軸（６１）上に設けられ、前記クランク軸（６１）の回転軸線（Ｒｘ）回りで回転する回転体（７２）と、
前記クランクケース（３８）に結合されて、前記回転軸線（Ｒｘ）回りで前記回転体（７２）を囲み前記回転体（７２）の収容空間を形成する回転体カバー（５５）と
を備える鞍乗り型車両のパワーユニット（３２）において、
前記回転体カバー（５５）は、軸方向に前記回転体（７２）よりも外側で前記回転軸線（Ｒｘ）回りに前記収容空間を囲む周壁（８１ｂ）を有し、前記周壁（８１ｂ）には径方向に外気を導入する導風口（８８）が設けられる
ことを特徴とする鞍乗り型車両のパワーユニット。
【請求項２】
請求項１に記載の鞍乗り型車両のパワーユニットにおいて、前記回転体カバー（５５）は前記回転軸線（Ｒｘ）に同軸に円を描く筒形状に形成され、前記導風口（８８）は、前記回転軸線（Ｒｘ）を含む水平面（ＨＰ）よりも下側に配置されることを特徴とする鞍乗り型車両のパワーユニット。
【請求項３】
請求項１または２に記載の鞍乗り型車両のパワーユニットにおいて、前記回転体カバー（５５）は、前記回転軸線（Ｒｘ）回りで全周にわたって連続する壁体（８２）を有することを特徴とする鞍乗り型車両のパワーユニット。
【請求項４】
請求項１〜３のいずれか１項に記載の鞍乗り型車両のパワーユニットにおいて、前記回転体カバー（５５）には、前記導風口（８８）に配置されて、前記回転軸線（Ｒｘ）に対して放射状に延びる整流板（８８ａ）が形成されることを特徴とする鞍乗り型車両のパワーユニット。
【請求項５】
請求項４に記載の鞍乗り型車両のパワーユニットにおいて、前記整流板（８８ａ）は前記回転軸線（Ｒｘ）回りで等間隔に配置されることを特徴とする鞍乗り型車両のパワーユニット。
【請求項６】
請求項１〜５のいずれか１項に記載の鞍乗り型車両のパワーユニットにおいて、前記回転体カバー（５５）は樹脂製であることを特徴とする鞍乗り型車両のパワーユニット。
【請求項７】
請求項１〜６のいずれか１項に記載の鞍乗り型車両のパワーユニットにおいて、前記回転体カバー（５５）は、前記回転軸線（Ｒｘ）回りで前記回転体（７２）を囲む第１体（５５ａ）と、前記第１体（５５ａ）に結合されて、前記周壁（８２）を有する第２体（５５ｂ）とを備え、前記第１体（５５ａ）には、前記周壁（８２）で囲まれる空間から、前記第１体（５５ａ）で囲まれる空間を仕切る網目状の仕切り（８９）が形成され、前記第２体（５５ｂ）には、前記回転軸線（Ｒｘ）を含む水平面（ＨＰ）よりも上方で前記仕切り（８９）に向かって突出する突起（９２）が形成されることを特徴とする鞍乗り型車両のパワーユニット。
【発明の詳細な説明】
【技術分野】
【０００１】
本発明は、回転自在にクランク軸を支持するクランクケースと、クランクケースの外側でクランク軸上に設けられ、クランク軸の回転軸線回りで回転する回転体と、クランクケースに結合されて、回転軸線回りで回転体を囲み回転体の収容空間を形成する回転体カバーとを備える鞍乗り型車両のパワーユニットに関する。
【背景技術】
【０００２】
特許文献１は、クランク軸の回転に応じて発電し、電流の供給に応じてクランク軸の回転を引き起こすＡＣＧ（交流発電機）スターターを開示する。ＡＣＧスターターは、クランクケースの外側でクランク軸に固定され、回転軸線回りでステーターを囲むローター（回転体）を備える。クランクケースには、回転軸線回りでローターを囲みローターの収容空間を形成するＡＣＧカバー（回転体カバー）が結合される。
【先行技術文献】
【特許文献】
【０００３】
【特許文献１】日本特許第６１８２０９９号
【発明の概要】
【発明が解決しようとする課題】
【０００４】
クランクケースには、ＡＣＧカバーを受け止めて、部分的にＡＣＧスターターのローターを囲む環状壁が形成される。環状壁には前方および上方で切り欠きが形成される。切り欠きからＡＣＧスターターのローターに向かって外気は線形に流入することから、ローターは効率的に冷却されるものの、外気に混ざって収容空間には異物が進入しやすい。【０００５】
本発明は、上記実状に鑑みてなされたもので、クランクケースに結合されるカバーの収容空間に対して異物の流通を抑制することができる鞍乗り型車両のパワーユニットを提供することを目的とする。
【課題を解決するための手段】
【０００６】
本発明の第１側面によれば、回転自在にクランク軸を支持するクランクケースと、前記クランクケースの外側で前記クランク軸上に設けられ、前記クランク軸の回転軸線回りで回転する回転体と、前記クランクケースに結合されて、前記回転軸線回りで前記回転体を囲み前記回転体の収容空間を形成する回転体カバーとを備える鞍乗り型車両のパワーユニットにおいて、前記回転体カバーは、軸方向に前記回転体よりも外側で前記回転軸線回りに前記収容空間を囲む周壁を有し、前記周壁には径方向に外気を導入する導風口が設けられる。【０００７】
第２側面によれば、第１側面の構成に加えて、前記回転体カバーは前記回転軸線に同軸に円を描く筒形状に形成され、前記導風口は、前記回転軸線を含む水平面よりも下側に配置される。【０００８】
第３側面によれば、第１または第２側面の構成に加えて、前記回転体カバーは、前記回転軸線回りで全周にわたって連続する壁体を有する。【０００９】
第４側面によれば、第１〜第３側面のいずれか１の構成に加えて、前記回転体カバーには、前記導風口に配置されて、前記回転軸線に対して放射状に延びる整流板が形成される。【００１０】
第５側面によれば、第４側面の構成に加えて、前記整流板は前記回転軸線回りで等間隔に配置される。【００１１】
第６側面によれば、第１〜第５側面のいずれか１の構成に加えて、前記回転体カバーは樹脂製である。【００１２】
第７側面によれば、第１〜第６側面のいずれか１の構成に加えて、前記回転体カバーは、前記回転軸線回りで前記回転体を囲む第１体と、前記第１体に結合されて、前記周壁を有する第２体とを備え、前記第１体には、前記周壁で囲まれる空間から、前記第１体で囲まれる空間を仕切る網目状の仕切りが形成され、前記第２体には、前記回転軸線を含む水平面よりも上方で前記仕切りに向かって突出する突起が形成される。
【発明の効果】
【００１３】
第１側面によれば、外気は、回転体カバーの導風口から径方向に収容空間に流入し、回転軸線の軸方向に回転体に向かって進む。外気の流通経路は非線形なので、回転体に向かって異物の流通は抑制されることができる。【００１４】
第２側面によれば、導風口は水平方向よりも下向きに開口するので、上向きの導風口は排除され、乗員に向かって吸気音が放出されることは防止されることができる。【００１５】
第３側面によれば、壁体は全周にわたって連続するので、回転軸線の軸方向に負荷に対して回転体カバーの強度は増大し、強度の増大に伴って導風口の開口面積は拡大されることができる。【００１６】
第４側面によれば、外気は整流板で整流されて径方向に導入されることができる。外気の導入は良好に整流されることができる。【００１７】
第５側面によれば、整流板は回転軸線回りで等間隔に配置されるので、外気は回転軸線に向かって良好に流入することができる。【００１８】
第６側面によれば、回転体カバーは樹脂製であるので、熱くなりにくい。金属製に比べて軽量化されることができる。【００１９】
第７側面によれば、鞍乗り型車両が冠水路を走行する際に、導風口から回転体の収容空間に水が浸入しても、網目状の仕切りが落ち葉などの異物で塞がれることを防止することができる。
【図面の簡単な説明】
【００２０】
【図１】図１は本発明の一実施形態に係る自動二輪車（鞍乗り型車両）の全体像を概略的に示す側面図である。（第１の実施の形態）
【図２】図２は自動二輪車の正面図である。（第１の実施の形態）
【図３】図３はシリンダー軸線、クランク軸の回転軸線、メイン軸の軸心およびカウンター軸の軸心を含む切断面で観察されるパワーユニットの断面図である。（第１の実施の形態）
【図４】図４はパワーユニットの拡大左側面図である。（第１の実施の形態）
【図５】図５は図４の５−５線に沿った拡大垂直断面図である。（第１の実施の形態）
【図６】図６は内側部材から外側部材が取り外された際に観察されるパワーユニットの拡大左側面図である。（第１の実施の形態）
【図７】図７は図６の７−７線に沿った拡大断面図である。（第１の実施の形態）
【図８】図８は交流発電機（ＡＣＧ）カバーが取り外された際に観察されるパワーユニットの拡大左側面図である。（第１の実施の形態）
【図９】図９は斜め上方の視点からＡＣＧカバーの内側部材の全体像を概略的に示す拡大斜視図である。（第１の実施の形態）
【符号の説明】
【００２１】
１１…鞍乗り型車両（自動二輪車）
３２…パワーユニット
３８…クランクケース
５５…回転体カバー（ＡＣＧカバー）
５５ａ…第１体（内側部材）
５５ｂ…第２体（外側部材）
６１…クランク軸
７２…回転体（ローター）
８１ｂ…周壁（外側周壁）
８２…壁体
８８…導風口
８８ａ…整流板
８９…仕切り
９２…突起
ＨＰ…（回転軸線を含む）水平面
Ｒｘ…（クランク軸の）回転軸線
【発明を実施するための形態】
【００２２】
以下、添付図面を参照しつつ本発明の一実施形態を説明する。ここで、車体の上下前後左右は自動二輪車に乗車した乗員の目線に基づき規定されるものとする。
【第１の実施の形態】
【００２３】
図１は本発明の一実施形態に係る鞍乗り型車両である自動二輪車の全体像を概略的に示す。自動二輪車１１は、車体フレーム１２と、車体フレーム１２に装着された車体カバー１３とを備える。車体カバー１３は、燃料タンク１４を覆って燃料タンク１４の後方の乗員シート１５に接続されるタンクカバー１６を有する。燃料タンク１４に燃料は貯留される。自動二輪車１１の運転にあたって乗員は乗員シート１５を跨ぐ。乗員シート１５には、運転者のほか、タンデム乗車の乗員（以下「タンデム乗員」という）が着座することができる。
【００２４】
車体フレーム１２は、ヘッドパイプ１７と、ヘッドパイプ１７から後ろ下がりに延びて、後下端にピボットフレーム１８を有するメインフレーム１９と、メインフレーム１９の下方の位置でヘッドパイプ１９から下方に延びるダウンフレーム２１と、メインフレーム１９の湾曲域１９ａから水平方向に後方に延びる左右のシートフレーム２２と、シートフレーム２２の下方でピボットフレーム１８から後上がりに延びて後端で下方からシートフレーム２２に結合されるリアフレーム２３とを有する。リアフレーム２３は下方からシートフレーム２２を支える。
【００２５】
ヘッドパイプ１４には操向自在にフロントフォーク２４が支持される。フロントフォーク２４には車軸２５回りで回転自在に前輪ＷＦが支持される。フロントフォーク２４の上端には操向ハンドル２６が結合される。図２に示されるように、操向ハンドル２６は地面に並列に車幅方向に左右に延びる。操向ハンドル２６の両端にはハンドルグリップ２７が固定される。運転者は自動二輪車１１の運転にあたって左右の手でそれぞれハンドルグリップ２７を握る。
【００２６】
図１に示されるように、車両の後方で車体フレーム１２にはピボット２８回りで上下に揺動自在にスイングアーム２９が連結される。スイングアーム２９の後端に車軸３１回りで回転自在に後輪ＷＲが支持される。前輪ＷＦと後輪ＷＲとの間で車体フレーム１２には後輪ＷＲに伝達される駆動力を生成するパワーユニット３２が搭載される。パワーユニット３２の動力は動力伝達装置３３を経て後輪ＷＲに伝達される。
【００２７】
自動二輪車１１は、ピボットフレーム１８の前方でパワーユニット３２の左右両側に配置される１対のステップ３４と、ステップ３４の後方に位置して、車軸３１よりも前方で後輪ＷＲの左右両側に配置される１対のタンデムステップ３５とを備える。図２に示されるように、ステップ３４は、エンジン３２に下方から取り付けられて車幅方向に延びる棒体３６の両端にそれぞれ固定される。タンデムステップ３５は、ピボット２８から後方に延びて後輪ＷＲの側方で上方に湾曲し上端でリアフレーム２３に結合されるブラケット３７にそれぞれ固定される。運転者は乗員シート１５に跨いでステップ３４に足を載せることができる。タンデム乗員は運転者の後方で乗員シート１５に跨いでタンデムステップ３５に足を載せることができる。
【００２８】
パワーユニット３２は、ダウンフレーム２１およびメインフレーム１９の間に配置されて、ダウンフレーム２１およびメインフレーム１９にそれぞれ連結されるクランクケース３８と、クランクケース３８の前側から上方に延びて、前傾するシリンダー軸線Ｃを有するシリンダーブロック３９と、シリンダーブロック３９の上端に結合されて、動弁機構を支持するシリンダーヘッド４１と、シリンダーヘッド４１の上端に結合されて、シリンダーヘッド４１上の動弁機構を覆うヘッドカバー４２とを備える。クランクケース３８には、前側から前方に突出する上下２つのエンジンハンガー４３ａと、後側から後方に突出する上下２つのエンジンハンガー４３ｂ、４３ｃとが形成される。前側のエンジンハンガー４３ａは、ボルトナットといった連結具４４ａでダウンフレーム２１に連結される。後側のエンジンハンガー４３ｂ、４３ｃは、ボルトナットといった連結具４４ｂ、４４ｃでピボットフレーム１８に連結される。クランクケース３８では回転軸線Ｒｘ回りで動力が生成される。クランクケース３８には、後述される交流発電機（ＡＣＧ）スターターおよびスプロケットを収容する左ケースカバー４５が結合される。
【００２９】
図３に示されるように、シリンダーブロック３９には、シリンダー軸線Ｃに沿ってピストン４７の線形往復運動を案内するシリンダー４８が区画される。ここでは、シリンダーブロック３９には単一のピストン４７を受け入れる単一のシリンダー４８が形成される。ピストン４７とシリンダーヘッド４１との間に燃焼室４９が区画される。シリンダーヘッド４１には燃焼室４９に臨む点火プラグ５１が取り付けられる。カムシャフト５２の回転に応じて開閉する吸気弁および排気弁の働きで燃焼室４９に混合気が導入され燃焼後の排ガスは燃焼室４９から排気される。
【００３０】
クランクケース３８は第１ケース半体３８ａおよび第２ケース半体３８ｂに分割される。第１ケース半体３８ａおよび第２ケース半体３８ｂは内面同士で向き合わせられる。第１ケース半体３８ａおよび第２ケース半体３８ｂは合わせ面で液密に相互に結合されて協働でクランク室５３を区画する。左ケースカバー４５は、第１ケース半体３８ａの外面に結合されて、第１ケース半体３８ａとの間にＡＣＧスターター５４を収容するＡＣＧカバー（回転体カバー）５５と、第１ケース半体３８ａの外面に結合されて、第１ケース半体３８ａとの間にスプロケット５６を収容するスプロケットカバー５７とで構成される。図２に示されるように、ＡＣＧカバー５５およびスプロケットカバー５７は、ステップ３４の先端と、ハンドルグリップ２７の先端と、倒立時の前輪ＷＦの接地点とを結ぶ仮想平面ＶＰよりも内側に配置される。図３に示されるように、第２ケース半体３８ｂの外面には、第２ケース半体３８ｂとの間に後述される摩擦クラッチ５８を収容するクラッチカバー５９が結合される。
【００３１】
クランク軸６１は、第１ケース半体３８ａおよび第２ケース半体３８ｂにそれぞれ嵌め込まれる玉軸受６２、６３に連結されるジャーナル６４ａ、６４ｂと、ジャーナル６４ａ、６４ｂの間に配置されて、クランク室５３に収容されるクランク６５とを備える。クランク６５は、ジャーナル６４ａ、６４ｂに一体化されるクランクウエブ６６と、クランクウエブ６６を相互に連結するクランクピン６７とを有する。ジャーナル６４ａ、６４ｂの軸心は回転軸線Ｒｘに一致する。クランクピン６７には、ピストン４７から延びるコネクティングロッド６８の大端部が回転自在に連結される。コネクティングロッド６８はピストン４７の線形往復運動をクランク軸６１の回転運動に変換する。
【００３２】
クランクケース３８から外側に一方向に突出するクランク軸６１の一端にはＡＣＧスターター５４が接続される。ＡＣＧスターター５４は、クランクケース３８の外面に固定されるステーター７１と、クランクケース３８から突き出るクランク軸６１の一端に相対回転不能に結合されるローター（回転体）７２とを備える。ステーター７１は、クランク軸６１周りで周方向に配列されて、ステーターコアに巻き付けられる複数のコイル７１ａを有する。ローター７２は、ステーター７１を囲む環状の軌道に沿って周方向に配列される複数の磁石７２ａを有する。クランク軸６１が回転すると、コイル７１ａに対して磁石７２ａが相対変位し、ＡＣＧスターター５４は発電する。反対に、コイル７１ａに電流が流通すると、コイル７１ａで磁界が生成され、クランク軸６１の回転が引き起こされる。ローター７２には、回転時に軸方向に空気を引き込んで、収容空間内で遠心方向に気流を生成する羽根７２ｂが設けられる。
【００３３】
パワーユニット３２は、クランク軸６１に組み合わせられるドグクラッチ式の変速機７３を備える。変速機７３はクランクケース３８内でクランク室５３に連続して区画される変速機室７４に収容される。変速機７３はクランク軸６１の軸心に平行な軸心を有するメイン軸７５およびカウンター軸（出力軸）７６を備える。メイン軸７５およびカウンター軸７６は転がり軸受で回転自在にクランクケース３８に支持される。
【００３４】
メイン軸７５およびカウンター軸７６には複数のミッションギア７７が支持される。ミッションギア７７は転がり軸受同士の間に配置されて変速機室７４に収容される。ミッションギア７７は、メイン軸７５またはカウンター軸７６に同軸に相対回転自在に支持される回転ギア７７ａと、メイン軸７５に相対回転不能に固定されて、対応する回転ギア７７ａに噛み合う固定ギア７７ｂと、メイン軸７５またはカウンター軸７６に相対回転不能かつ軸方向変位自在に支持されて、対応する回転ギア７７ａに噛み合うシフトギア７７ｃとを含む。回転ギア７７ａおよび固定ギア７７ｂの軸方向変位は規制される。軸方向変位を通じてシフトギア７７ｃが回転ギア７７ａに連結されると、回転ギア７７ａとメイン軸７５またはカウンター軸７６との相対回転は規制される。シフトギア７７ｃが他軸の固定ギア７７ｂに噛み合うと、メイン軸７５およびカウンター軸７６の間で回転動力は伝達される。他軸の固定ギア７７ｂに噛み合う回転ギア７７ａにシフトギア７７ｃが連結されると、メイン軸７５およびカウンター軸７６の間で回転動力は伝達される。こうしてカウンター軸７６は、変速機７３を介して任意の減速比でクランク軸６１の回転力を出力する。
【００３５】
メイン軸７５は、クランクケース３８の外側でクランクケース３８およびクラッチカバー５９の間に収容される一次減速機構７８を通じてクランク軸６１に接続される。一次減速機構７８は、動力伝達ギア７８ａと、メイン軸７５上に相対回転自在に支持される被動ギア７８ｂとを備える。動力伝達ギア７８ａは、クランクケース３８から外側に突出するクランク軸６１の他端に固定される。被動ギア７８ｂは動力伝達ギア７８ａに噛み合う。
【００３６】
メイン軸７５には、クランクケース３８およびクラッチカバー５２の間に収容される摩擦クラッチ５８が連結される。摩擦クラッチ５８はクラッチアウター５８ａおよびクラッチハブ５８ｂを備える。クラッチアウター５８ａに一次減速機構７８の被動ギア７８ｂは連結される。クラッチレバーの操作に応じて摩擦クラッチ５８ではクラッチアウター５８ａおよびクラッチハブ５８ｂの間で連結および切断が切り替えられる。
【００３７】
カウンター軸７６にスプロケット５６は固定される。動力伝達装置３３は、スプロケット５６と、後輪ＷＲの車軸３１に固定される被動スプロケットと、スプロケット５６および被動スプロケットに巻き掛けられる巻き掛けチェーン７９とを備える。スプロケット５６は、巻き掛けチェーン７９を介して後輪ＷＲにカウンター軸７６の回転力を伝達する。
【００３８】
ＡＣＧカバー５５は、回転軸線Ｒｘ回りでＡＣＧスターター５４のローター７２を囲む内側周壁８１ａと、回転軸線Ｒｘの軸方向にＡＣＧスターター５４のローター７２よりも外側で回転軸線Ｒｘ回りにＡＣＧスターター５４の収容空間を囲む外側周壁８１ｂとを有する。図４に示されるように、内側周壁８１ａおよび外側周壁８１ｂは回転軸線Ｒｘに同軸に円を描く筒形状に形成される。外側周壁８１ｂは回転軸線Ｒｘ回りで全周にわたって連続する壁体８２を有する。
【００３９】
ＡＣＧカバー５５には、内側周壁８１ａよりも径方向外側に配置されてクランクケース３８の外面に重ねられ、ボルト８３でクランクケース３８に締結される取り付けボス８４が形成される。ＡＣＧカバー５５は、内側周壁８１ａから後方に延びる箱形状の拡張体８５でスプロケットカバー５７に連結される。スプロケットカバー５７には、スプロケット５６の上下位置で、クランクケース３８にスプロケットカバー５７を締結するねじ８６を収容する窪み８７が形成される。窪み８７の底板は、クランクケース３８の外面に重ねられ、クランクケース３８にねじ込まれるねじ８６の頭を受け止める。
【００４０】
外側周壁８１ｂには径方向に外気を導入する導風口８７が設けられる。導風口８７は、回転軸線Ｒｘを含む水平面ＨＰよりも下側に配置される。外側周壁８１ｂには、導風口８７に配置されて、回転軸線Ｒｘに対して放射状に延びる整流板８８ａが形成される。整流板８８ａは回転軸線Ｒｘ回りで等間隔に配置される。
【００４１】
図５に示されるように、ＡＣＧカバー５５は、取り付けボス８４（図４参照）を有してクランクケース３８に固定され、内側周壁８１ａを形成する内側部材（第１体）５５ａと、内側部材５５ａに結合されて、外側周壁８１ｂを有する外側部材（第２体）５５ｂとを備える。外側部材５５ｂは、回転軸線Ｒｘの軸方向にローター７２よりも外側で内側部材５５ａを覆う。
【００４２】
内側部材５５ａには、外側周壁８１ｂで囲まれる空間から、内側部材５５ａで囲まれる空間を仕切る網目状の仕切り８９が形成される。図６に示されるように、仕切り８９は、円形の輪郭を有する開口９１の外縁から回転軸線Ｒｘに向かって径方向に延びる線形体８９ａと、開口９１の円形に同心に円を描き、線形体８９ａを接続する円形体８９ｂとを有する。網目の大きさは例えば１．５〜３．０ｃｍ四方程度に設定されればよい。
【００４３】
図５に示されるように、外側部材５５ｂの内面には、回転軸線Ｒｘを含む水平面ＨＰよりも上方で仕切り８９に向かって突出する複数の突起９２が形成される。突起９２は例えば回転軸線Ｒｘに平行な軸心を有する棒体で構成される。突起９２は、例えば回転軸線Ｒｘに同心に描かれる円弧に沿って配列される。
【００４４】
内側部材５５ａは外側部材５５ｂよりも高い剛性を有する素材から形成される。ここでは、内側部材５５ａおよび外側部材５５ｂはともに樹脂材から成型される。内側部材５５ａは例えばポリアミド６６（ＰＡ６６樹脂）から成型される。外側部材５５ｂは例えばポリプロピレン（ＰＰ樹脂）から成型される。
【００４５】
内側部材５５ａは、外側周壁５５ｂの壁体８２に囲まれて、先端にいくにつれて径方向に縮小する接続端９３を有する。接続端９３は、外側周壁８１ｂに向き合って先端にいくにつれて径方向に縮小する第１壁９３ａと、第１壁９３ａの先端から回転軸線Ｒｘに向かって広がる第２壁９３ｂと、第２壁９３ｂの内側からクランクケース３８に向かって広がって、第１壁９３ａとの間に空間を形成する第３壁９３ｃとを有する。第３壁９３ｃの内側に開口９１は区画される。内側周壁８１ａ、第１壁９３ａ、第２壁９３ｂおよび第３壁９３ｃは均一な壁厚で連続する。
【００４６】
図６に示されるように、接続端９３と外側部材５５ｂとの間には相互に係合する１以上の係合機構９４が配置される。図７も併せて参照し、係合機構９４は、接続端９３に形成されて、径線上に延びる２つの溝９４ａと、外側部材５５ｂに形成されて、径線上に広がって個々に溝９４ａに進入する２つの板片９４ｂとを備える。ここでは、溝９４ａは回転軸線Ｒｘ回りに１２０度未満の間隔で配置される。その他、溝９４ａは例えば周方向に等間隔以外の間隔で配置されればよい。溝９４ａが等間隔以外の間隔で配置されれば、溝９４ａと板片９４ｂとの対応関係が確実に決まるので、外側部材５５ｂは誤りなく回転軸線Ｒｘ回りに規定の角位置で内側部材５５ａに重ねられることができる。溝が外側部材５５ｂに形成されて板片が内側部材５５ａに形成されてもよい。
【００４７】
図５に示されるように、外側部材５５ｂには、内側部材５５ａの内方から内側部材５５ａを貫通するねじ９５がねじ込まれるボス９６が形成される。ボス９６は、接続端９３に区画される窪み９３ｄに軸方向外側から進入して、先端で窪み９３ｄの底板に受け止められる。ねじ９５は窪み９３ｄの底板にボス９６を締結する。ねじ９５は回転軸線Ｒｘに平行な軸心を有する。図６に示されるように、ボス９６は回転軸線Ｒｘ回りに１２０度の等間隔で配置される。
【００４８】
図５に示されるように、壁体８２の縁（端面）と内側部材５５ａとの間には隙間が形成される。そして、ねじ９５の頭は、ローター７２のうち、羽根７２ｂに外接する円筒面によりも外側で回転軸線Ｒｘ回りに途切れなく連続する面７２ｃに向き合う。羽根７２ｂは、面７２ｃよりも小さい径を有して面７２ｃ内側の凹み内でローター７２に締結される部材に形成される。
【００４９】
内側部材５５ａの周壁（内側周壁８１ａ）には、ＡＣＧスターター５４の収容空間と、スプロケットカバー５７で覆われる空間との間で上下に広がって両者を隔てる隔壁９７が形成される。隔壁９７の下端には排風口９８が形成される。図８に示されるように、内側周壁８１ａは、ローター５４の回転方向ＤＲに排風口９８に近づくにつれて径方向にローター５４の外周から遠ざかる。
【００５０】
スプロケットカバー５７は、クランクケース３８の外面との間に、排風口９８から所定長さで延びる排風通路９９を区画する。スプロケットカバー５７は、スプロケット５６を収容する空間から排風通路９９を仕切る仕切り壁１０１を有する。仕切り壁１０１と外壁１０２との間に排風通路９９は区画される。
【００５１】
排風通路９９は、ローター５４に同軸にローター５４を囲む仮想円筒面の接線方向に沿って、ローター５４の回転方向に下流に向かって延びる。排風通路９９は、スプロケット５６の下方位置で車体後方に向かって延びる。排風通路９９は、車体後方にいくにつれて地面に向かって低下するように傾斜する。排風通路９９の出口９９ａは、エンジンハンガー４３ｃに固定される連結具４４ｃに向き合わせられる。排風通路９９の出口９９ａでは、仕切り壁１０１に向き合うスプロケットカバー５７の外壁が仕切り壁１０１に向かって上向きに折り返される。折り返しは下方から排風通路９９に対して異物の進入を阻害することができる。排風口９８では、スプロケットカバー５７の外壁に上からＡＣＧカバー５５の外壁が重ねられる。図１から明らかなように、排風通路９９の出口９９ａはステップ３４よりも後方に配置される。排風通路９９の出口９９ａはタンデムステップ３５に下方から外接する水平面ＺＰよりも低い位置に位置する。
【００５２】
図５に示されるように、ＡＣＧカバー５５の内側部材５５ａは、回転軸線Ｒｘに直交する平面で形成される合わせ面１０３でクランクケース３８に接触する。内側部材５５ａには、合わせ面１０３の外周から突出してクランクケース３８の外面に被さる止水壁１０４が形成される。図９に示されるように、止水壁１０４は回転軸線Ｒｘよりも前方および上方に配置される。止水壁１０４は、隔壁９７の上端から前方に合わせ面１０３に沿って連続し、回転軸線Ｒｘを含む水平面ＨＰよりも低い位置で途切れる（図６参照）。
【００５３】
次に本実施形態の動作を説明する。燃焼室４９内で混合気が爆発すると、シリンダー４８内でピストン４７の往復線形運動が引き起こされる。ピストン４７の往復線形運動に応じてクランク軸６１は回転する。その結果、ＡＣＧスターター５４のローター７２はステーター７１に対して相対的に変位する。ＡＣＧスターター５４は発電する。
【００５４】
ローター７２の回転に応じて羽根７２ｂは遠心方向に気流を生成する。気流の生成にあたって、外側部材５５ｂの導風口８７から接続端９３の第２壁９３ｂに沿って径方向に外気はＡＣＧスターター５４の収容空間に流入する。外気は収容空間内で回転軸線Ｒｘの軸方向にローター７２に向かって進む。外気の流通経路は非線形なので、ローター７２に向かって異物の流通は抑制されることができる。外気は開口９１から内側部材５５ａの内部空間に流入する。外気はＡＣＧスターター５４の収容空間内でＡＣＧスターター５４を冷却する。
【００５５】
羽根７２ｂの回転で遠心方向に誘導される冷却風は排風口９８から外側に流出し、排風通路９９に沿ってステップ３４の後方まで案内される。排風の経路は運転者の足を回避することができる。運転者の足は排風の影響に曝されずに済む。
【００５６】
パワーユニット３２の始動時には、ＡＣＧスターター５４のコイル７１ａに電流が供給されると、コイル７１ａと磁石７２ａとの間で相対変位が生み出される。こうしてＡＣＧスターター５４ではローター７２は回転する。ローター７２の回転はクランク軸６１の回転を引き起こす。ローター７２の回転に応じて羽根７２ｂは遠心方向に気流を生成する。外気は開口９１から内側部材５５ａの内部空間に流入する。外気はＡＣＧスターター５４の収容空間内でＡＣＧスターター５４を冷却する。ＡＣＧスターター５４の発熱で温風は生成される。温風は排風通路９９に沿ってステップ３４の後方まで案内される。排風の経路は運転者の足を回避することから、運転者の足はＡＣＧスターター５４からの温風に曝されずに済む。
【００５７】
本実施形態ではＡＣＧカバー５５は回転軸線Ｒｘに同軸に円を描く筒形状に形成される。そして、導風口８８は、回転軸線Ｒｘを含む水平面ＨＰよりも下側に配置される。こうして導風口８８は水平方向よりも下向きに開口するので、上向きの導風口は排除され、乗員に向かって吸気音が放出されることは防止される。
【００５８】
ＡＣＧカバー５５の外側部材５５ｂは、回転軸線Ｒｘ回りで全周にわたって連続する壁体８２を有する。壁体８２は全周にわたって連続するので、回転軸線Ｒｘの軸方向に負荷に対して外側部材５５ｂの強度は増大し、強度の増大に伴って導風口８８の開口面積は拡大されることができる。
【００５９】
ＡＣＧカバー５５には、導風口８８に配置されて、回転軸線Ｒｘに対して放射状に延びる整流板８８ａが形成される。外気は整流板８８ａで整流されて径方向に導入される。外気の導入は良好に整流されることができる。加えて、整流板８８ａは回転軸線Ｒｘ回りで等間隔に配置されることから、外気は回転軸線Ｒｘに向かって良好に流入することができる。
【００６０】
本実施形態に係るパワーユニット３２ではＡＣＧカバー５５は樹脂製である。ＡＣＧカバー５５は樹脂製であるので、熱くなりにくい。ＡＣＧカバー５５は金属製に比べて軽量化されることができる。
【００６１】
本実施形態では、ＡＣＧカバー５５は、回転軸線Ｒｘ回りでＡＣＧスターター５４のローター７２を囲む内側部材（第１体）５５ａと、内側部材５５ａに結合されて、外側周壁８１ｂを有する外側部材（第２体）５５ｂとを備える。このとき、内側部材５５ａには、外側周壁８１ｂで囲まれる空間から、内側部材５５ａで囲まれる空間を仕切る網目状の仕切り８９が形成される。外側部材５５ｂには、回転軸線Ｒｘを含む水平面ＨＰよりも上方で仕切り８９に向かって突出する突起９２が形成される。自動二輪車１１が冠水路を走行する際に、導風口８８からＡＣＧスターター５４の収容空間に水が浸入しても、網目状の仕切り８９が落ち葉などの異物で塞がれることを防止する。
【００６２】
なお、パワーユニット３２には、前述の４ストロークの単気筒内燃機関に代えて、並列置きや水平対向、Ｖ型といった複数気筒の内燃機関が用いられてもよく、同様な２ストロークの内燃機関が用いられてもよい。
【図１】
0006986639.tif 000002
【図２】
0006986639.tif 000003
【図３】
0006986639.tif 000004
【図４】
0006986639.tif 000005
【図５】
0006986639.tif 000006
【図６】
0006986639.tif 000007
【図７】
0006986639.tif 000008
【図８】
0006986639.tif 000009
【図９】
0006986639.tif 000010